(57)【要約】  【課題】  利便性の高いディジタルカメラを提供する。  【解決手段】  ディジタルカメラ本体１１に対して表カバー１４と裏カバー１６を移動可能し、表カバー１４を移動させてレンズ１２が露出したときは「撮影モード」とし、表カバー１４を移動させて選択スイッチ群１９が露出したときは「再生モード」にする。「再生モード」において、２段式押ボタン１８を再生補助操作に使用する。表カバー１４と裏カバー１６を動かさないとき、２段式押ボタン１８を用いて録画映像を液晶表示部１７に表示することもできる。【選択図】    図１
2005242221.tif 000002
【特許請求の範囲】
【請求項１】
レンズ、撮像素子、信号処理手段、記録手段が搭載されたディジタルカメラ本体と、
該本体の前記レンズが露出する側に位置し、前記本体に対して移動可能または前記本体に対して回転可能な第１カバーと、
表示部と、操作ボタンとを搭載し、前記本体を挟んで前記第１カバーと対向する側に位置し、前記本体に対して移動可能または前記本体に対して回転可能な第２カバーと、
前記第１カバーの移動位置または回転位置を検出する第１位置検出手段と、
前記第２カバーの移動位置または回転位置を検出する第２位置検出手段と
を有し、
前記信号処理手段は、前記第１位置検出手段で検出した前記第１カバーの位置、または、前記第２位置検出手段で検出した前記第２カバーの位置に応じて、当該ディジタルカメラの動作モードを決定する、
ディジタルカメラ。
【請求項２】
前記第１カバーと前記第２カバーとを連結し、前記第１カバーと前記第２カバーとを前記本体に対して同時に移動または回転させるカバー連結部材と、
前記カバー連結部材、または、前記第１カバーまたは前記第２カバーのいずれかの移動位置または回転位置を検出する検出手段とを有し、
前記本体には前記カバー連結部材を介して前記第１カバーと前記第２カバーとを移動または回転可能にする部分が配設され、
前記信号処理手段は、前記検出手段で検出した前記第１カバーまたは前記第２カバーの移動位置または回転位置に応じて当該ディジタルカメラの動作モードを決定する、
請求項１に記載のディジタルカメラ。
【請求項３】
前記第１カバーと前記第２カバーが独立して前記本体に対して移動または回転でき、
前記第１位置検出手段は前記第１カバーの移動位置または回転位置を検出し、  前記第２位置検出手段は前記第２カバーの移動位置または回転位置を検出し、  前記信号処理手段は、前記第１または第２位置検出手段で検出した前記第１カバーまたは前記第２カバーの移動位置または回転位置に応じて当該ディジタルカメラの動作モードを決定する、
請求項１に記載のディジタルカメラ。
【請求項４】
前記操作ボタンは２段式押ボタンであり、前記決定されたモードに応じて異なる操作に使用する、
請求項１〜３いずれかに記載のディジタルカメラ。
【請求項５】
前記信号処理手段は、前記第１カバーが移動または回転したとき、当該ディジタルカメラを「撮影モード」として決定し、
前記操作ボタンを撮影用ボタンとして使用する、
請求項４に記載のディジタルカメラ。
【請求項６】
前記信号処理手段は、前記第２カバーが移動または回転したとき、当該ディジタルカメラを「再生モード」として決定し、
前記操作ボタンを再生補助ボタンとして使用する、
請求項４に記載のディジタルカメラ。
【請求項７】
前記操作ボタンの第１段目が押されたとき、前記信号処理手段は前記表示部に所定の順序で順次画像を表示し、
前記操作ボタンの第２段目までが押されたとき、前記信号処理手段は前記表示部に所定の順序とは逆の順序で順次画像を表示する、
請求項６に記載のディジタルカメラ。
【請求項８】
前記操作ボタンの第１段目が押されたとき、信号処理手段は前記表示部に表示されている映像を拡大または縮小表示し、
前記操作ボタンの第２段目までが押されたとき、前記信号処理手段は前記表示部に表示されている映像を縮小または拡大表示する、
請求項６に記載のディジタルカメラ。
【請求項９】
前記第１位置検出手段は前記第１カバーの位置を連続的に検出し、
前記第２位置検出手段は前記第２カバーの位置を連続的に検出し、
前記信号処理手段は、
前記第１位置検出手段で検出した前記第１カバーの移動位置または回転位置、および／または、前記第２位置検出手段で検出した前記第２カバーの移動位置または回転位置に応じて当該ディジタルカメラの処理を行う、
請求項１に記載のディジタルカメラ。
【発明の詳細な説明】
【技術分野】
【０００１】
本発明はディジタルカメラに関する。
より特定的には、本発明はディジタルカメラの外観形状に応じて動作（使用）モードを規定するようにしたディジタルカメラに関する。
【背景技術】
【０００２】
レンズ、ＣＣＤ、コンピュータと、メモリを有し、ディジタル信号処理して撮像データを得るディジタルカメラが広く活用されている。
そのようなディジタルカメラは、各種の面での改良が試みられているが、そのような改良技術の課題の１つに利便性の改善がある。
たとえば、コンピュータ操作とか機械操作が苦手な老人でも子供でも手軽にディジタルカメラが使用できることが望まれている。
【０００３】
小型カメラ、ディジタルカメラにおいて、撮影をしないときレンズを保護するカバーを設け、カバーを開くと電源が入り、撮影可能となる技術が実施されている。しかしながら、カメラの形状が大きく変化、形状が変化したことによるカメラの使用形態が変化するという技術ではない。
【０００４】
特開２００３−１６９１２０号公報（特許文献１）は、小型の携帯電話機と、その小型の携帯電話機に大きな画面の液晶表示器を搭載したいという要望を実現するため、大型液晶表示器をとりつけた本体部分に対して、操作ボタンなどをとりつけた部分をスライドさせる技術を提案している。
【特許文献１】特開２００３−１６９１２０号公報
【発明の開示】
【発明が解決しようとする課題】
【０００５】
しかしながら、特開２００３−１６９１２０号公報に開示されている技術は、収容の問題を解決する技術に止まり、携帯電話機の形状が変化することによる利用形態を異ならせる技術ではない。
【０００６】
このように、ディジタルカメラの形状を変化させることにより、ディジタルカメラの利用形態が容易に認識され、の使用形態が特定される技術は提案されていない。
【０００７】
特に、小型のディジタルカメラにおいては、ユーザが複雑なカメラ操作に馴染まない人が多い。
他方、小型のディジタルカメラには各種のスイッチ類を搭載する部分が限られるので、そのようなユーザにとって使いやすくするためのスイッチ類を沢山取り付けることには限界がある。
もちろん、小型のディジタルカメラは価格的にも制限があり、ディジタルカメラの複雑化は回避しなければならない。
【０００８】
本発明は、ディジタルカメラの構造の複雑化を回避しつつ、ディジタルカメラの形状（または形態）を変化させることにより、ユーザにとってディジタルカメラの使用形態が容易かつ直観的に理解でき、操作が容易なディジタルカメラを提供することにある。
【０００９】
本発明の他の目的は、スイッチ類を増加させないでも種々の機能を実現し、あるいは新たな機能を実現可能なディジタルカメラを提供することにある。
【００１０】
さらに本発明の他の目的は、ディジタルカメラの利用に不慣れなユーザにとっても、ゲーム感覚でディジタルカメラの使用を楽しめ、容易に操作可能なディジタルカメラを提供することにある。
【課題を解決するための手段】
【００１１】
本発明によれば、レンズ、撮像素子、信号処理手段、記録手段が搭載されたディジタルカメラ本体と、該本体の前記レンズが露出する側に位置し、前記本体に対して移動可能または前記本体に対して回転可能な第１カバーと、表示部と、操作ボタンとを搭載し、前記本体を挟んで前記第１カバーと対向する側に位置し、前記本体に対して移動可能または前記本体に対して回転可能な第２カバーと、前記第１カバーの移動位置または回転位置を検出する第１位置検出手段と、前記第２カバーの移動位置または回転位置を検出する第２位置検出手段とを有し、
前記信号処理手段は、前記第１位置検出手段で検出した前記第１カバーの位置、または、前記第２位置検出手段で検出した前記第２カバーの位置に応じて、当該ディジタルカメラの動作モードを決定する、
ディジタルカメラが提供される。
【００１２】
特定的には、前記第１カバーと前記第２カバーとを連結し、前記第１カバーと前記第２カバーとを前記本体に対して同時に移動または回転させるカバー連結部材と、
前記カバー連結部材、または、前記第１カバーまたは前記第２カバーのいずれかの移動位置または回転位置を検出する検出手段とを有し、
前記本体には前記カバー連結部材を介して前記第１カバーと前記第２カバーとを移動または回転可能にする部分が配設され、
前記信号処理手段は、前記検出手段で検出した前記第１カバーまたは前記第２カバーの移動位置または回転位置に応じて当該ディジタルカメラの動作モードを決定する。
【００１３】
また特定的には、前記第１カバーと前記第２カバーが独立して前記本体に対して移動または回転でき、前記第１位置検出手段は前記第１カバーの移動位置または回転位置を検出し、前記第２位置検出手段は前記第２カバーの移動位置または回転位置を検出し、前記信号処理手段は、前記第１または第２位置検出手段で検出した前記第１カバーまたは前記第２カバーの移動位置または回転位置に応じて当該ディジタルカメラの動作モードを決定する。
【００１４】
好ましくは、前記操作ボタンは２段式押ボタンであり、前記決定されたモードに応じて異なる操作に使用する。
【発明の効果】
【００１５】
本発明のディジタルカメラは、本体に対してカバーが移動または回転可能に構成されており、カバーを動かしてディジタルカメラの外観形状を変化させることによりディジタルカメラの動作モードを規定できる。
このように、外観形状の変化で動作モードが規定されるから、ディジタルカメラの使用に不慣れなユーザにとっても直観的に操作方法が理解しやすい。
【００１６】
ディジタルカメラの外形形状が変化するから、斬新さを感じ、ディジタルカメラに不慣れなユーザにとっても楽しくディジタルカメラを使用できる。
【発明を実施するための最良の形態】
【００１７】
第１実施の形態
図１〜図６を参照して本発明の第１実施の形態のディジタルカメラについて述べる。
図１は本発明のディジタルカメラの第１実施の形態の第１の形態を図解した図であり、図１（Ａ）は正面図であり、図１（Ｂ）は側面図であり、図１（Ｃ）は裏面図である。
図２は図１に図解したディジタルカメラの第２形態を図解した図であり、図２（Ａ）は正面図であり、図２（Ｂ）は側面図であり、図２（Ｃ）は裏面図である。
図３は図１に図解したディジタルカメラの第３の形態を図解した図であり、図３（Ａ）は正面図であり、図３（Ｂ）は側面図であり、図３（Ｃ）は裏面図である。
図４は図１〜図３に図解したディジタルカメラの表カバーと裏カバーの連結状態と、移動原理を図解した図であり、図４（Ａ）はレールを図解した図であり、図４（Ｂ）は表カバーと裏カバーとの連結を図解した図である。
【００１８】
ディジタルカメラ１は、ディジタルカメラ本体１１と、本体１１の一方の側（本実施の形態においては表側という）に位置する表カバー１４と、本体１１の他方の側（本実施の形態においては裏側という）に位置する裏カバー１６とを有する。
裏カバー１６には、裏カバー１６の外面に露出している、液晶表示部１７と、押ボタン１８とが搭載されている。
押ボタン１８は２段式押ボタンである。すなわち、２段式押ボタン１８は第１段目、第２段目に２回押し操作が可能なボタンスイッチである。
表カバー１４の一端には切欠１４ａが形成されており、ユーザがディジタルカメラ１の切欠１４ａに触れただけで、ディジタルカメラ１の向きが分かり、さらに、切欠１４ａに指をかけて表カバー１４を本体１１の長手方向に沿って移動させることを容易にしている。
本体１１にはストラップ２５が接続されている。
【００１９】
本体１１には、図１（Ａ）に図解の状態では表カバー１４によって隠蔽されていて見えないが、表カバー１４を下方に移動させると露出するレンズ１２が搭載されている。表カバー１４は撮影しないときのレンズ１２の保護を役割もしている。
なお、図解を省略したが、レンズ１２の近傍の本体１１にストロボ３９（図９）などを搭載することもできる。
【００２０】
本体１１にはさらに、図１（Ｃ）に図解の状態では裏カバー１６によって隠蔽されていて見えないが、裏カバー１６を上方に移動させると、図３（Ｃ）に図解した、第１選択スイッチ１９ａ、第２選択スイッチ１９ｂおよび第３選択スイッチ１９ｃが露出する。
第１選択スイッチ１９ａ、第２選択スイッチ１９ｂおよび第３選択スイッチ１９ｃを総称して選択スイッチ群１９という。
【００２１】
表カバー１４と裏カバー１６とは、図４（Ｂ）に図解したように、カバー連結部材１５を介して連結されている。
本体１１には、図１４（Ａ）に図解したように、カバー連結部材１５が本体１１の長手方向に沿って移動（摺動）することを可能にするカバー連結部材移動用レール１３が形成されている。
カバー連結部材移動用レール１３は本体１１の両側に第１カバー連結部材移動用レール１３ａと第２カバー連結部材移動用レール１３ｂの２つ設けられており、カバー連結部材１５も第１およびカバー連結移動用レール１３ａ、１３ｂに対応して第１および第２カバー連結部材１５ａ、１５ｂが設けられている。
第１および第２カバー連結部材１５ａ、１５ｂはそれぞれ、第１およびカバー連結移動用レール１３ａ、１３ｂ内に嵌装されており、ユーザが力で多少の摩擦をもって第１およびカバー連結移動用レール１３ａ、１３ｂ内を移動する。
第１および第２カバー連結部材１５ａ、１５ｂが移動する第１およびカバー連結移動用レール１３ａ、１３ｂはもちろん、本体１１内を貫通している。
【００２２】
表カバー１４と裏カバー１６とが第１および第２カバー連結部材１５ａ、１５ｂによって連結され、第１および第２カバー連結部材１５ａ、１５ｂが第１およびカバー支持部材摺動用レール１３ａ、１３ｂに沿って移動可能するから、表カバー１４と裏カバー１６とは一方を移動させると他方も同時に移動する。
【００２３】
第２カバー連結部材移動用レール１３ｂの両端部には、第２カバー連結部材１５ｂが第２カバー連結部材移動用レール１３ｂの両端まで移動したことを検出する第１リミットスイッチ２１と第２リミットスイッチ２２とが配設されている。図２（Ａ）に図解の状態においては、第１リミットスイッチ２１が第２カバー連結部材１５ｂが第２カバー連結部材移動用レール１３ｂの下端部まで到達したことを検出し、図３（Ａ）に図解の状態においては、第２リミットスイッチ２２が第２カバー連結部材１５ｂが第２カバー連結部材移動用レール１３ｂの上端部まで到達したことを検出する。
【００２４】
図１に図解の状態において、ユーザが表カバー１４の切欠１４ａに指をかけて表カバー１４を本体１１の長手方向下側に動かすと、表カバー１４と裏カバー１６とが同時に本体１１に対して図解の下方に移動し、ディジタルカメラ１の外観は図２（Ａ）〜（Ｃ）に図解した状態になる。図２（Ａ）に図解した状態において、本体１１に搭載されているレンズ１２が露出する。
レンズ１２が露出するこの状態において、ディジタルカメラ１は撮像可能な状態となる。
【００２５】
逆に、表カバー１４を本体１１の長手方向上側に動かすと、表カバー１４と裏カバー１６とが同時に本体１１に対して上方に移動し、ディジタルカメラ１の外観は図３（Ａ）〜（Ｃ）に図解した状態になる。図３（Ｃ）に図解した状態において、本体１１に搭載されている第１選択スイッチ１９ａ、第２選択スイッチ１９ｂおよび第３選択スイッチ１９ｃが露出する。
第１選択スイッチ１９ａ、第２選択スイッチ１９ｂおよび第３選択スイッチ１９ｃを総称して選択スイッチ群１９とも呼ぶ。
【００２６】
図５に図解したように、ディジタルカメラ本体１１には、レンズ１２と、シャッタ機構３０と、撮像素子としてのＣＣＤ３１と、撮像データ入力用インタフエース（Ｉ／Ｆ）３２と、信号処理プロセッサ３３と、半導体メモリ３４と、バス３５と、外部メモリインタフエース（Ｉ／Ｆ）３６と、表示用インタフエース（Ｉ／Ｆ）３７と、入出力インタフエース（Ｉ／Ｆ）３８とを有する。
信号処理プロセッサ３３、撮像データ入力用Ｉ／Ｆ３２、半導体メモリ３４、外部メモリＩ／Ｆ３６、表示用Ｉ／Ｆ３７および入出力Ｉ／Ｆ３８がバス３５を介して接続されている。
【００２７】
撮像データ入力用Ｉ／Ｆ３２は、ＣＣＤ３１で映像を電気信号に変換した映像データを信号処理プロセッサ３３に入力する。
半導体メモリ３４は、信号処理プロセッサ３３で動作する各種プログラム、各種の制御データなどを記憶している不揮発性メモリと、ディジタルカメラ１で使用する一時的なデータの保存、および、撮像データ入力用Ｉ／Ｆ３２を介して入力されるＣＣＤ３１からの映像データの一時保存などに使用する、ＤＲＡＭなどの揮発性メモリとで構成されている。
外部メモリ・Ｉ／Ｆ３６は、信号処理プロセッサ３３からＣＣＤ３１で撮像した映像データを外部メモリ４０に保存するとき動作する。換言すれば、信号処理プロセッサ３３は外部メモリ４０に映像データを記録するとき外部メモリ・Ｉ／Ｆ３６を介して外部メモリ４０に映像データを出力する。
表示用Ｉ／Ｆ３７は、信号処理プロセッサ３３の制御のもと、たとえば、撮影モードにおいてレンズ１２およびＣＣＤ３１で得た映像データをリアルタイムで液晶表示部１７に表示したり、過去に撮像されて外部メモリ４０に保存されている映像データを液晶表示部１７に表示したり、後述する各種のメッセージ表示などを行うときに動作する。換言すれば、信号処理プロセッサ３３は液晶表示部１７に種々の表示を行うとき、表示用Ｉ／Ｆ３７を介して液晶表示部１７る表示データを出力する。
入出力Ｉ／Ｆ３８は、押ボタン１８、選択スイッチ群１９、リミットスイッチ２１，２２などの信号を信号処理プロセッサ３３に入力するときに動作する。換言すれば、信号処理プロセッサ３３は、入出力Ｉ／Ｆ３８を介して、押ボタン１８のスイッチ状態、選択スイッチ群１９のスイッチ状態、リミットスイッチ２１、２２の状態を入力する。
【００２８】
信号処理プロセッサ３３は下記に例示する、各種の信号処理および制御処理を行う。
図６は本発明の第１実施の形態のディジタルカメラ内の信号処理プロセッサ３３で行う、図１〜図３に図解した各形態におけるディジタルカメラの動作モード処理を図解したフローチャートである。
信号処理プロセッサ３３は第１リミットスイッチ（ＬＳ）２１および第２リミットスイッチ（ＬＳ）２２のスイッチ状態を入力し、下記のモード判定処理を行う。
【００２９】
たとえば、第２カバー連結部材１５ｂが、第１ＬＳ２１または第２ＬＳ２２のいずれかに当接したとき、第１ＬＳ２１または第２ＬＳ２２が、図解しない本体１１に搭載されたバッテリから、信号処理プロセッサ３３、半導体メモリ３４など、図５に図解した本体１１に搭載されている電子回路などへの給電を可能とする。したがって、第１ＬＳ２１または第２ＬＳ２２のいずれかがオン状態になったとき、信号処理プロセッサ３３が動作して下記のモード設定処理を行う。
【００３０】
ステップ１、２、信号処理プロセッサ３３は第１ＬＳ２１がオン状態であるか否かをチェックする。第１ＬＳ２１がオン状態のときは、表カバー１４および裏カバー１６が図２に図解した状態、すなわち、レンズ１２が露出して撮影可能な状態にある。したがって、信号処理プロセッサ３３はディジタルカメラ１の動作モードを、「撮影モード」に設定する（規定する、決定する）。
【００３１】
撮影モード
撮影モードにおいて、信号処理プロセッサ３３は下記の処理を行う。
撮像（ＣＡＭＥＲＡ）モードにおいて、レンズ１２からの映像がＣＣＤ３１に入力されＣＣＤ３１が映像に応じた電気信号に変換され、その映像データがリアルタイムで液晶表示部１７に表示される。
ユーザがシャッタボタンとして使用される２段式押ボタン１８を第１段目まで押すと、合焦処理が行われ、第２段目まで押すとシャッタ機構３０が動作して、合焦している映像が固定され、ＣＣＤ３１から半導体メモリ３４に保存される。信号処理プロセッサ３３は半導体メモリ３４に保存された映像データを、圧縮処理などを行って外部メモリ４０に記録する。
【００３２】
「撮影モード」の詳細を述べる。
図２の図解の状態において、信号処理プロセッサ３３は、２段式押ボタン１８の役割を、撮影のための２段式押ボタンとして規定する。このとき、２段式押ボタン１８は赤色の２段階表示、たとえば、薄い赤と濃い赤と２段階表示が行われる。
この状態において、液晶表示部１７には、レンズ１２およびＣＣＤ３１を通して得られた映像がリアルタイムで表示される。
この液晶表示部１７にリアルタイムの映像が表示されている状態で、ユーザが２段式押ボタン１８を第１段目まで押すと、２段式押ボタン１８の裏面の赤ランプが薄く点灯し、信号処理プロセッサ３３は液晶表示部１７に表示されている映像の合焦処理を行い、ユーザがさらにもう１段階深く押ボタン１８を第２段目まで押すと、２段式押ボタン１８の裏面の赤ランプが濃く点灯し、信号処理プロセッサ３３は液晶表示部１７に表示されている映像が固定し、その撮像データが半導体メモリ３４に一旦保存し、信号処理プロセッサ３３はさらに半導体メモリ３４に保存した映像データに圧縮画像処理などを行って外部メモリＩ／Ｆ３６を介して外部メモリ４０の空きスペースに保存する。
２段式押ボタン１８が２段階押されて撮影が行われたとき、シャッタ機構３０のシャッタ音が聞こえる。
必要に応じて、上述した処理が反復される。
【００３３】
ステップ３、４、第１ＬＳ２１がオン状態でないとき、信号処理プロセッサ３３は第２ＬＳ２２がオン状態であるか否かをチェックする。第２ＬＳ２２がオン状態のときは、表カバー１４および裏カバー１６が図３に図解した状態、すなわち、レンズ１２が隠蔽されて撮影できないが、選択スイッチ群１９が露出するので選択スイッチ群１９を使用できる。
図３に図解したこの状態を、信号処理プロセッサ３３は「再生モード」として設定（規定、決定）する。
【００３４】
再生モード
「再生モード」において、信号処理プロセッサ３３は下記の処理を行う。
再生（ＡＬＢＵＭ）モードのとき基本的には、液晶表示部１７に、ディジタルカメラ１で撮影した上記映像データを表示する他、ディジタルカメラ１に操作に関する種々の情報を表示する。
図３の図解の状態において、２段式押ボタン１８を再生補助ボタンとして用いる。たとえば、信号処理プロセッサ３３は、２段式押ボタン１８の役割を、たとえば、ズーム処理のための２段式押ボタンとして規定する。このとき、２段式押ボタン１８は２段階の緑色、たとえば、薄い緑色と濃い緑色との２段階で表示される。
第３選択スイッチ１９ｃを、再生開始／終了指示スイッチとし、第１選択スイッチ１９ａを逆コマ送りスイッチとして、第２選択スイッチ１９ｂを順コマ送りスイッチとして規定する。
信号処理プロセッサ３３は、再生モードの初期状態において、液晶表示部１７にメッセッジ表示することができる。
ユーザが第３選択スイッチ１９ｃを押すと、信号処理プロセッサ３３は外部メモリ４０に記録されている映像データを液晶表示部１７に表示する再開処理を開始し、たとえば、外部メモリ４０に記録されている第１番目のコマの映像を液晶表示部１７に表示する。
【００３５】
ここで、ユーザが２段式押ボタン１８の第１段目まで押すと２段式押ボタン１８の裏面の緑ランプが薄く点灯し、信号処理プロセッサ３３は液晶表示部１７に表示されている映像を、２段式押ボタン１８が１段目まで押されている間、連続して所定の速度で拡大表示し続ける。ユーザが２段式押ボタン１８の第１段目まで押していることを止めて放すと薄い緑ランプの点灯は消え、信号処理プロセッサ３３は拡大表示処理を停止する。
ユーザが２段式押ボタン１８を第１段目まで押した後、さらに第２段目まで押すと２段式押ボタン１８は濃い緑色に表示され、信号処理プロセッサ３３は上記拡大表示を停止し、液晶表示部１７に表示されている映像を、連続して所定の速度で縮小表示し続ける。ユーザが２段式押ボタン１８の第２段目まで押していることを止めて放すと濃い緑色の表示は消え、信号処理プロセッサ３３は、縮小表示処理を停止する。
このように、２段式押ボタン１８は２段階の緑色で表示されて液晶表示部１７に表示されている映像を拡大または縮小表示を指示するのに使用される。
【００３６】
以上の「再生モード」において、たとえば、第３選択スイッチ１９ｃを押すと、液晶表示部１７に表示されている映像データを外部メモリ４０から消去することができる。
【００３７】
他方、裏カバー１６を移動させて、図１の状態に戻すと、第２ＬＳ２２がオフ状態となり、信号処理プロセッサ３３は再生モードを終了する。その後、バッテリからの給電は停止する。
【００３８】
液晶表示部１７に映像が表示されているとき、ユーザが第２選択スイッチ１９ｂを押すと、信号処理プロセッサ３３は、液晶表示部１７に表示されているコマの次のコマの外部メモリ４０に記録されている映像データを、通常のサイズで液晶表示部１７に表示させる。
この状態でユーザが２段式押ボタン１８を操作した場合、信号処理プロセッサ３３は、上記と同様、２段式押ボタン１８に表示された映像データについて、ズーム処理を行う。
【００３９】
ユーザが第１選択スイッチ１９ａを押すと、信号処理プロセッサ３３は、液晶表示部１７に表示されているコマの１つ前のコマの外部メモリ４０に記録されている映像データを、通常のサイズで液晶表示部１７に表示させる。
この状態でユーザが２段式押ボタン１８を操作した場合、信号処理プロセッサ３３は、上記と同様、２段式押ボタン１８に表示された映像データについて、ズーム処理を行う。
【００４０】
本実施の形態においては、ディジタルカメラ１の形状が、図２と図３のように大きく変化することにより、ディジタルカメラ１の使用モードを異なる。
そして、２段式押ボタン１８を、たとえば、図２に図解の状態では撮影スイッチとして使用し、図３に図解の状態ではズーム操作スイッチとして選択的に使用できる。
【００４１】
「再生モード」において、再生補助ボタンとして使用される２段式押ボタン１８は、他の再生補助処理にも使用できる。たとえば、押ボタン１８が第１段目まで押されたとき、信号処理プロセッサ３３は所定の順序で画像を液晶表示部１７に順次表示し、押ボタン１８が第２段目まで押されたとき、信号処理プロセッサ３３は上述した順序とは逆の順序で画像を液晶表示部１７に順次表示させることができる。
【００４２】
２段式押ボタン１８内に裏面には、緑色の発光ダイオードと赤色のダイオードとが内蔵されており、信号処理プロセッサ３３がいずれかのダイオードを点灯させるかを選択して、２段式押ボタン１８内のダイオード選択スイッチ（図示せず）を選択して切り換える。１段目まで押したときはダイオードが薄く点灯し、２段目まで押したときはと濃く点灯すること切替えは、１段目まで押したときはダイオードに印加される電圧は低く、２段目まで押したときは高い電圧がダイオードに印加される。
【００４３】
ステップ５、第１ＬＳ２１も第２ＬＳ２２もオフ状態のときは、図１に図解の状態であり、バッテリの電力消費の削減の観点からもバッテリから信号処理プロセッサ３３などの電子回路には給電されず、信号処理プロセッサ３３は動作しない。
【００４４】
しかしながら、本実施の形態においては、図１に状態のおいてユーザが、２段式押ボタン１８を２段目まで押した場合、第１ＬＳ２１または第２ＬＳ２２のオン状態によりバッテリから信号処理プロセッサ３３などの電子回路にバッテリからの給電が行われたと同様、給電スイッチ（図示せず）をオンにして信号処理プロセッサ３３などの電子回路にバッテリから給電を開始し、信号処理プロセッサ３３などのを動作させることができる。
この状態で駆動された信号処理プロセッサ３３は、第１ＬＳ２１も第２ＬＳ２２もオン状態でないことをチェックしたのち、ステップ５として「自由モード」に設定する。
【００４５】
自由モード
自由モードの１例を述べる。
図１の状態では、レンズ１２が隠蔽されているから撮影はできない。しかしながら、外部メモリ４０に記録されている映像データを液晶表示部１７に表示することはできる。
そこで、自由モードとして、たとえば、２段式押ボタン１８のみを使用して、外部メモリ４０に記録されている映像を確認する処理、すなわち、「映像データ確認表示処理」を行う場合を例示して述べる。
ユーザが２段式押ボタン１８を２段目まで押して上記自由モードになった後、もとの状態に戻っている２段式押ボタン１８を１段目まで押すと、２段式押ボタン１８が薄く緑色に点灯し、信号処理プロセッサ３３は外部メモリ４０に記録されている映像データの第１コマを液晶表示部１７に表示する。
ユーザが２段式押ボタン１８を１段目まで押している状態を継続すると、信号処理プロセッサ３３は外部メモリ４０に記録されている映像データを所定の速度で連続的に表示していく。ユーザが２段式押ボタン１８を１段目まで押している状態を停止して２段式押ボタン１８から指を放すと、信号処理プロセッサ３３は外部メモリ４０に記録されている映像データの連続更新表示を停止する。
映像データの連続更新が停止した状態で、ユーザが２段式押ボタン１８を２段目まで一度に押し込むと、上記モード処理は終了する。すなわち、信号処理プロセッサ３３は処理を終了し、バッテリからの給電は停止する。
【００４６】
以上述べたように、本実施の形態においては、図１の状態でも、外部に露出している２段式押ボタン１８を用いて、外部メモリ４０に記録されている映像の確認などの処理を行うことができる。
【００４７】
第２実施の形態
図７および図８を参照して本発明のディジタルカメラの第２実施の形態について述べる。
図７は本発明のディジタルカメラの第２実施の形態の第２の形態を図解した図であり、図７（Ａ）は正面図であり、図７（Ｂ）は側面図であり、図７（Ｃ）は裏面図である。
図８は本発明のディジタルカメラの第２実施の形態の第３の形態を図解した図であり、図８（Ａ）は正面図であり、図８（Ｂ）は側面図であり、図８（Ｃ）は裏面図である。
なお、第２実施の形態においても、表カバー１４と裏カバー１６とが移動しない基本形態としては、図１に図解した形態をとる。
【００４８】
第２実施の形態は、第１実施の形態のように、表カバー１４と裏カバー１６とを同時に移動可能にしたのではなく、図７に図解したように、表カバー１４のみ移動させ、または、図８に図解したように、裏カバー１６のみ移動させるようにしたものである。
したがって、第２実施の形態においては、図４に図解した表カバー１４と裏カバー１６とを連結する第１および第２カバー連結部材１５ａ、１５ｂは用いない。他方、第２実施の形態において、表カバー１４と裏カバー１６とそれぞれ独立して移動可能にするため、本体１１の表カバー１４側と裏カバー１６側に、第１およびカバー連結移動用レール１３ａ、１３ｂに相当するものを設ける。ただし、第２実施の形態においては、第１およびカバー連結移動用レール１３ａ、１３ｂに相当するものは当然、図４に図解したように、本体１１を貫通していない。同様に、表カバー１４と裏カバー１６とがそれぞれどの位置に位置しているかを検出する第１リミットスイッチ２１および第２ＬＳ２２に相当する検出手段を、本体１１の表カバー１４側と裏カバー１６側に設ける。
【００４９】
基本形態
信号処理プロセッサ３３は図１に図解した基本形態のとき、第１実施の形態において、図５のステップ５の「自由モード」として、映像データ確認、更新処理を行う、「映像データ確認表示処理」を行うことができる。
【００５０】
第２形態
信号処理プロセッサ３３は、図７に図解した状態において、裏カバー１６の位置が図１の基本形態と同じでも、第１実施の形態の「撮影モード」処理を行うことができる。
２段式押ボタン１８の役割は第１実施の形態と同様である。
【００５１】
なお、この「撮影モード」において、表カバー１４を移動させたとき、信号処理プロセッサ３３はストロボ３９を点灯させることができる。
【００５２】
第３形態
信号処理プロセッサ３３は、図８に図解した状態において、表カバー１４の位置が図１の基本形態と同じでも、第１実施の形態の「再生モード」処理を行うことができる。
２段式押ボタン１８および選択スイッチ群１９の役割は、第１実施の形態と同様である。
【００５３】
以上のように、第２実施の形態においても、ディジタルカメラ１の形状に応じて使用モードが規定され、２段式押ボタン１８、選択スイッチ群１９などの役割が、ディジタルカメラ１の形状に応じて規定される。
【００５４】
第３実施の形態
図９を参照して本発明のディジタルカメラの第３実施の形態について述べる。  図９は本発明のディジタルカメラの第３実施の形態を図解した図であり、図９（Ａ）は正面図であり、図９（Ｂ）は側面図であり、図９（Ｃ）は裏面図であり、図９（Ｄ）は図９（Ａ）と同じ正面図である。
図９（Ａ）、（Ｄ）に図解したように、第３実施の形態においては、表カバー１４を図９（Ａ）の状態から図９（Ｄ）の状態に回転可能としたものである。
このように、表カバー１４を回転させることにより、本体１１のレンズ１２が露出して、撮影可能となる。
またこのように、表カバー１４を回転させて、表カバー１４によって隠蔽されていた本体１１の表面を大きくとれるようにすることにより、たとえば、ストロボ３９などを本体１１の表面で、表カバー１４によって隠蔽する部分に配設することが可能となる。
【００５５】
表カバー１４を本体１１に対して回転させる機構の図解は省略したが、表カバー１４の本体１１側に回転軸を取り付け、本体１１の表カバー１４側にその回転軸を軸支する部分を設ける。
表カバー１４が図９（Ｄ）に図解の状態にあるか否かは、たとえば、表カバー１４の回転限界位置またはその近傍に設けたリミットスイッチ（図示せず）によって検出できる。
【００５６】
図９（Ｄ）の状態において、信号処理プロセッサ３３は、第１実施の形態および第２実施の形態と同様、「撮影モード」の処理を行う。
このように、図７に図解の状態に代えて、表カバー１４を回転させても、たとえば、「撮影モード」処理を行うことができる。
図９（Ｄ）に図解のディジタルカメラ１の形状は自明であり、ユーザにとって理解し易い。
【００５７】
第３実施の形態の変形態様
裏カバー１６についても、表カバー１４と同様、本体１１に対して回転させることができる。信号処理プロセッサ３３は、裏カバー１６の回転に応じて、第１および第２実施の形態と同様、再生モード処理を行うこときができる。
この裏カバー１６の回転により、ディジタルカメラ１の外形が大きく変化し、ユーザは再生モードであることを容易に理解する。
なお、裏カバー１６を回転させる場合、液晶表示部１７の向きを図９（Ｃ）の向きに対して９０度回転させ、裏カバー１６が回転したとき、ユーザにとって正立像が表示されるようにすることが望ましい。
【００５８】
もちろん、表カバー１４と裏カバー１６とを同時に回転させることもできる。  その場合のモードおよび２段式押ボタン１８、選択スイッチ群１９などの役割は第１実施の形態において例示したものと同様とすることができる。
【００５９】
第４実施の形態
図１０を参照して本発明のディジタルカメラの第４実施の形態について述べる。
図１０は本発明のディジタルカメラの第４実施の形態の表カバーと裏カバーの移動原理とその検出方法を図解した図であり、図１０（Ａ）はレールを図解した図であり、図１０（Ｂ）は表カバーと裏カバーとの連結を図解した図である。
第４実施の形態は、図４に図解したリミットスイッチ２１、２２に代えて、本体１１の第１およびカバー連結移動用レール１３ａ、１３ｂを移動する第１および第２カバー連結部材１５ａ、１５ｂの位置を連続的に検出可能としている。
そのため、図４に図解したリミットスイッチ２１、２２に代えて、位置を連続的に検出する位置検出センサ２８を設けている。
【００６０】
ディジタルカメラ１に適用する位置検出センサは、さほど位置検出精度は要求されないが、小型で、低価格のものが望ましい。
そのような位置検出センサ２８としては、磁気抵抗の変化として位置を検出する磁気抵抗効果素子（ＭＲ素子）、第１およびカバー連結移動用レール１３ａ、１３ｂにそって抵抗成分を配設し、第１および第２カバー連結部材１５ａ、１５ｂが接触することにより抵抗変化を位置変化として検出する抵抗変化式位置検出センサ、第１および第２カバー連結部材１５ａ、１５ｂにポテンショの軸を接続し、第１および第２カバー連結部材１５ａ、１５ｂの移動をポテンショの回転として検出し、回転量を電圧変化として検出するポテンショ式位置検出センサなど、各種の位置検出センサを用いることができる。
【００６１】
信号処理プロセッサ３３は位置検出センサ２８の検出位置を入力し、位置検出センサ２８の検出した位置に応じて、事前に規定されているモードの処理を行う。
たとえば、位置検出センサ２８の位置検出値が図４に図解した第１ＬＳ２１の位置検出に相当する場合は「撮影モード」として、第２ＬＳ２２の位置検出に相当する場合は「再生モード」とすることができる。
第１ＬＳ２１と第２ＬＳ２２との間は、上述した「自由モード」とすることができる。
【００６２】
また、位置検出センサ２８の位置検出値が、図４に図解した第１ＬＳ２１の位置検出に接近した場合、バッテリから信号処理プロセッサ３３などに給電を開始し、信号処理プロセッサ３３は事前に「撮影モード」に入る準備をし、図４に図解した第１ＬＳ２１の位置検出値に相当する位置に到達したとき信号処理プロセッサ３３は即座に「撮影モード」処理を行うことができる。
他方、位置検出センサ２８の位置検出値が、図４に図解した第１ＬＳ２１の位置検出値から離れたとき、信号処理プロセッサ３３は、「撮影モード」を終了する準備を行う。たとえば、撮影した映像データを、外部メモリ４０に保存する。その後、さらに第１および第２カバー連結部材１５ａ、１５ｂが第１ＬＳ２１から離れたとき、バッテリからの給電を停止する。
このように行うと、「撮影モード」処理の始動が迅速になり、「撮影モード」処理の終了が円滑に行われる。
第２ＬＳ２２についても同様、「再生モード」の始動の迅速さ、終了の円滑化が可能となる。
【００６３】
本発明のディジタルカメラの実施に際しては上述した例示に限定されず、種々の変形態様をとることができ、また、上述した実施の形態を適宜組み合わせることもできる。
【図面の簡単な説明】
【００６４】
【図１】図１は本発明のディジタルカメラの第１実施の形態の第１の形態を図解した図であり、図１（Ａ）は正面図であり、図１（Ｂ）は側面図であり、図１（Ｃ）は裏面図である。
【図２】図２は本発明のディジタルカメラの第１実施の形態の第２の形態を図解した図であり、図２（Ａ）は正面図であり、図２（Ｂ）は側面図であり、図２（Ｃ）は裏面図である。
【図３】図３は本発明のディジタルカメラの第１実施の形態の第３の形態を図解した図であり、図３（Ａ）は正面図であり、図３（Ｂ）は側面図であり、図３（Ｃ）は裏面図である。
【図４】図４は本発明のディジタルカメラの第１実施の形態の表カバーと裏カバーの移動原理を図解した図であり、図４（Ａ）はレールを図解した図であり、図４（Ｂ）は表カバーと裏カバーとの連結を図解した図である。
【図５】図５は本発明の実施の形態のディジタルカメラの主要部の構成図である。
【図６】図６は本発明の第１実施の形態のディジタルカメラ内の制御ユニットで行う、図１〜図３に図解した各形態におけるディジタルカメラの動作モード処理を図解したフローチャートである。
【図７】図７は本発明のディジタルカメラの第２実施の形態の第２の形態を図解した図であり、図７（Ａ）は正面図であり、図７（Ｂ）は側面図であり、図７（Ｃ）は裏面図である。
【図８】図８は本発明のディジタルカメラの第２実施の形態の第３の形態を図解した図であり、図８（Ａ）は正面図であり、図８（Ｂ）は側面図であり、図８（Ｃ）は裏面図である。
【図９】図９は本発明のディジタルカメラの第３実施の形態を図解した図であり、図９（Ａ）は正面図であり、図９（Ｂ）は側面図であり、図９（Ｃ）は裏面図であり、図９（Ｄ）は図９（Ａ）と同じ正面図である。
【図１０】図１０は本発明のディジタルカメラの第４実施の形態の表カバーと裏カバーの移動原理とその検出方法を図解した図であり、図１０（Ａ）はレールを図解した図であり、図１０（Ｂ）は表カバーと裏カバーとの連結を図解した図である。
【符号の説明】
【００６５】
１・・ディジタルカメラ
１１・・ディジタルカメラ本体、１２・・レンズ
１３、１３ａ、１３ｂ・・カバー連結部材移動用レール、
１４・・表カバー、１４ａ・・切欠
１５１５ａ、１５ｂ・・カバー連結部材１５
１６・・裏カバー
１７・・液晶表示部
１８・・２段式押ボタン
１９、１９ａ〜１９ｃ・・選択スイッチ群１９
２１、２２・・リミットスイッチ
２３・・位置検出センサ
２５・・ストラップ
２８・・位置検出センサ
３０・・シャッタ、３１・・ＣＣＤ、３２・・撮像データ入力用Ｉ／Ｆ
３３・・信号処理プロセッサ、３４・・半導体メモリ、３５・・バス
３６・・外部メモリＩ／Ｆ、３７・・表示用Ｉ／Ｆ
３８・・入出力Ｉ／Ｆ、３９・・ストロボ、４０・・外部メモリ
【図１】
2005242221.tif 000003
【図２】
2005242221.tif 000004
【図３】
2005242221.tif 000005
【図４】
2005242221.tif 000006
【図５】
2005242221.tif 000007
【図６】
2005242221.tif 000008
【図７】
2005242221.tif 000009
【図８】
2005242221.tif 000010
【図９】
2005242221.tif 000011
【図１０】
2005242221.tif 000012